(57)【要約】【課題】硬質木材からなる床材（デッキ材、フローリング材）と根太材を容易、確実に、しかも低コストで時間効率よく接続することができる床材結合金具、床材敷設方法及び床構造を提供する。【解決手段】床材３の裏面の所定位置に予め床材結合金具４を皿ビスによって取り付けておく。コンクリートスラブ１上に設置してある複数の根太材２上に、１本目の床材３を根太材２と直交するように載置し位置調整した後、根太材取付孔９から根太材２に皿ビスを締め付ける。次に、隣接する床材３ａを保持し、結合金具４ａの凸部５ａを既設の床材３に取り付けられた床材結合金具４の凹部７に挿入して位置決めし、隣接する床材３ａに取り付けられた床材結合金具４ａの根太材取付孔９ａから根太材２に皿ビスを締め付ける。以降、同様にして隣接する床材を順次固定する。【選択図】　　　　図１
2004019321.tif 000002
【特許請求の範囲】
【請求項１】
板状本体の一端に凸部を設け、他端に前記凸部とほぼ等長の突片に挟まれた凹部を設けるとともに、前記板状本体の中央部に床材取付孔を形成し、前記突片に根太材取付孔を形成することを特徴とする床材固定金具。
【請求項２】
請求項１記載の床材固定金具において、前記凹部の幅は前記凸部の幅より所定量大であることを特徴とする床材固定金具。
【請求項３】
請求項１記載の床材固定金具を、該床材固定金具の前記凸部と凹部が床材から突出するように床材の裏面に取り付ける工程と、
前記床材固定金具が固定された床材を平行設置された複数の根太材と直交するように位置決めし、前記床材固定金具の根太材取付孔から前記根太材にビス止めする工程と、
前記床材固定金具が固定された隣接する床材を前記根太材にビス止めされている既設の前記床材と同姿勢で側方に保持し、既設の前記床材及び前記隣接する床材の双方の床材固定金具の前記凸部と凹部を嵌合し位置決めする工程と、
位置決めした前記隣接する床材の床材固定金具の根太材取付孔から前記根太材にビス止めする工程とからなることを特徴とする床材敷設方法。
【請求項４】
請求項１または２記載の床材固定金具が床材と根太材間に介在し、前記床材を前記根太材上に固定することを特徴とする床構造。
【請求項５】
請求項４記載の床構造において、前記床材は硬質木材からなることを特徴とする床構造。
【発明の詳細な説明】
【０００１】
【発明の属する技術分野】
本発明は、床材固定金具、床材敷設方法及び床構造に関し、さらに詳しくは、平行に設置された複数の根太材上に床材を敷設する際、ビス等の固定具が表面に露出せずに、隣接する床材間を密接して敷設することができる床材固定金具、該床材固定金具を用いた床材敷設方法及び床構造に関する。
【０００２】
【従来の技術】
近年、硬質木材（ハードウッド）として種々の木材が輸入され、ボードウォーク・パーゴラ・デッキ・木橋等景観施設や海洋構築材として使用されている。
輸入されている硬質木材としては、ジャラ、ケンパス、ボンゴジ、イペ、レッドウッド等が一般的であるが、景観施設用材としては、腐りにくいこと、虫害に強いこと、構造材としての強度等の特性が必要とされる。デッキやボードウォーク等景観施設用材として、わが国の気象、環境条件等を考慮したとき、物理的性能、耐久性、国内外での実績上、南アメリカ（主としてブラジル）産出のイペ（ＩＰＥ）が注目されている。
【０００３】
図５は、前記したような硬質木材からなる床材を根太材上に敷設する第１の従来例の床構造を示す斜視図である。
図５に示す従来の床構造は、硬質木材からなる床材を屋内及び屋外に設置する床構造であって、コンクリートスラブ２１上に複数の根太材２２を所定間隔で互いに平行に支承し、これらの根太材２２上に硬質木材からなる床材２３を敷設して、この床材２３をビス２４で根太材２２に固定する。
床材２３の敷設に際しては、床材２３にねじ止め用の下穴を予め穿設しておき、下穴にビス２４を締め付けて、床材２３を根太材２２に固定する。
【０００４】
図５に示す床構造にあっては、根太材２２に床材２３を固定するためのビス２４の頭部が床材の表面に露出し美観上好ましくなく、また敷設等にはビス２４の頭が床材２３の表面から突出しないように施工しなければならなかった。
また、ビス２４の頭を隠す必要がある場合には木栓を施すが、木栓を施すための穴をドリルを使用して穿設する工程及び木栓を形成し施す工程が新たに必要となる上、木栓を施す作業は木栓と木栓を施す穴の寸法管理が困難で、長期間の使用によって木栓が脱落してしまうことが後を絶たなかった。
【０００５】
図６は、床材（フローリング材）を根太材上に敷設する第２の従来例の床構造を示す斜視図である。
図６に示す従来の床構造は、特許第２８７７７９４号で提案されているもので、根太材とフローリング材とを容易、確実に接続することを課題としたものである。
その構成は、コンクリートスラブ３１上に根太材３２を複数離間して平行に配設し、この根太材３２上にフロ−リング材３３を前記根太材３２に対して略直交方向に敷設した構造で、特に根太材３２とフローリング材３３との間に介在する結合金具３６に特徴がある。
すなわち、根太材３２とフローリング材３３との間に介在する結合金具３６は、根太材３２の長手方向に沿って延び、根太材３２の上側に取り付けられる延設部３７と、延設部３７の一端から立設され、隣合う２枚のフローリング材３３の間に相当する中央位置から上方に向け且つフローリング材３３の延設方向に沿って立設される立設板部３８と、この立設板部３８の上端部から隣合う２枚のフローリング材３３の向き合う側面部３４に両フローリング材の溝部３５の少なくとも一方の溝部３５に嵌入されるようフローリング材３３側に向けて延設された係止板部３９とを備えている。
【０００６】
図６に示す床構造の敷設方法にあっては、根太材３２上に結合金具３６を木ねじ４０によって取り付け、フローリング材３３の側面部３４に設けた溝部３５に、係止板部３９のうち延設部側に延びる側の係止板部３９に嵌合して取り付けられるもので、根太材３２とフローリング材３３とはビスで固定されていないので、長期間の使用によってフローリング材３３が長手方向にずれる恐れがあり、また木材の乾燥によりフローリング材３３と結合金具３６の間に隙間ができる恐れがある。
また、フローリング材３３を設置したとき、隣り合うフローリング材３３間に結合金具３５の立設板部３８が介在するので、隣り合うフローリング材３３間に隙間ができ、いわゆる突きつけ貼りを行うことができず、フローリング材３３の両側縁部（木口）には予め溝を加工しておかなければならないといった問題点もある。
【０００７】
【発明が解決しようとする課題】
本発明は、前記したような従来例の問題点に鑑みなされたもので、特に硬質木材からなる床材と根太材とを容易、確実に、しかも低コストで敷設することができる床材結合金具、床材敷設方法及び床構造を提供することを目的とする。
また、根太材上に床材を敷設する際、床材を固定するためのビス等の固定具が表面に露出せず、また隣接する床材間に間隙が生じることなく、ぴったりと密着して設置することができる床材結合金具、床材敷設方法及び床構造を提供することを目的とする。また、必要に応じて隣接する床材間に所定の間隙を設けて、いわゆる目透し貼りを可能とすることを目的とする。
さらに、根太材上に床材を敷設する床材敷設方法において、床材と根太材との結合強度を落とすことなく、施工現場におけるビス止め等の締め付け作業数を減らし、熟練をさほど有しない作業者であっても、工期を短縮し、作業性よく施工可能であることを目的とする。
【０００８】
【課題を解決するための手段】
本発明は、前記目的を達成するためのもので、請求項１の発明は、板状本体の一端に凸部を設け、他端に前記凸部とほぼ等長の突片に挟まれた凹部を設けるとともに、前記板状本体の中央部に床材取付孔を形成し、前記突片に根太材取付孔を形成する床材固定金具であることを特徴とする。
【０００９】
請求項２の発明は、請求項１記載の床材固定金具において、前記凹部の幅は前記突部の幅より所定量大であることを特徴とする。
【００１０】
請求項３の発明は、請求項１記載の床材固定金具を、該床材固定金具の前記凸部と凹部が床材から突出するように床材の裏面に取り付ける工程と、前記床材固定金具が固定された床材を平行設置された複数の根太材と直交するように位置決めし、前記床材固定金具の根太材取付孔から前記根太材にビス止めする工程と、前記床材固定金具が固定された隣接する床材を前記根太材にビス止めされている既設の前記床材と同姿勢で側方に保持し、既設の前記床材及び前記隣接する床材の双方の床材固定金具の前記凸部と凹部を嵌合し位置決めする工程と、位置決めした前記隣接する床材の床材固定金具の根太材取付孔から前記根太材にビス止めする工程とからなる床材敷設方法であることを特徴とする。
【００１１】
請求項４の発明は、請求項１または２記載の床材固定金具が根太材と床材間に介在し、前記根太材上に前記床材を固定する床構造であることを特徴とする。
【００１２】
請求項５の発明は、請求項４記載の床構造において、前記床材は硬質木材からなることを特徴とする。
【００１３】
【発明の実施の形態】
以下、本発明の実施の形態を図１〜図４に示す実施例に基づいて説明する。
図１は、本発明の実施例の床構造を敷設する様子を示す斜視図である。なお、図１は既設の床材に対し隣接する床材を敷設する際の様子を示すもので、図を見やすくするため、皿ビスは省略し、両床材を想像線で表示している。
また、本発明で床材とは、床に張られている、または張るための板の総称を意味し、デッキ材、フローリング材等を包含する。
本発明の床構造は、コンクリートスラブ１上に複数の根太材２を所定間隔で平行に適宜手段により設置し、根太材２上に床材結合金具４を使用して床材３を固定して敷設する。床材３、根太材２は、イペのような硬質木材からなるデッキ材を想定しているが、硬質木材に限られるものではなく、それより軟質の一般材にも広く適用することができる。また、根太材２はコンクリートスラブ１上に直接設置されている例を示しているが、根太材２とコンクリートスラブ１間に相当の距離がある場合には、コンクリートスラブ１と根太材２間に大曳を介在させたり、束柱及び根太固定用プレート、アンカーボルト等を介在させたりすることができる。
【００１４】
図２は、本発明の実施例の床材結合金具を示す図で、図２（Ａ）は上面図、図２（Ｂ）は図２（Ａ）のＸ−Ｘ断面図である。
床材結合金具４は、厚さ（Ｔ）の平板からなり、全長（Ｌ）が床材３の幅方向長さ（ｗ）より長く、長手方向の一端に突片からなる凸部５を有し、他端に２つの突片６によって挟まれた部分の凹部７を有する。凸部５の高さ（Ｌ１）と凹部７の深さ（Ｌ２）はほぼ等しく形成されている。また、床材結合金具４の全幅（Ｗ）は根太材２の幅より小さく、凸部５の幅（Ｗ１）は凹部７の幅（Ｗ２）より適当寸法小さく形成されている（Ｗ１＜Ｗ２）。
床材結合金具４の長手方向中央部の複数個所に床材取付孔８が設けられ、また凹部７を形成する２つの突片６には先端寄りに根太材取付孔９が設けられており、床材取付孔８及び根太材取付孔９の両表面側には座グリが形成されている。
床材結合金具４の材質は、ステンレス鋼板（ＳＵＳ３０４）、亜鉛メッキ鋼板等が好ましい。
【００１５】
ところで、根太材にビスを締め込む際、ビスによって削られた根太材２の木屑が表面に盛り上がってくる場合には、この木屑が根太材２と床材結合金具４の間に入り込むと、根太材２と床材結合金具４間に隙間が生じ、床材３と根太材２がガタ付いた状態で取り付けられてしまう。
本発明の実施例の床材結合金具４においては床材取付孔８、根太材取付孔９の上下両面に座グリが形成されていることで、皿ビスの頭部は一方側の座グリ中に収容され、床材３または根太材２が削られて表面に盛り上がってくる木屑は他方側の座グリ中に収容されて、床材結合金具４と床材３、根太材２間に間隙が生ずることがない。また、床材取付孔８及び根太材取付孔９には床材結合金具４の上下両面側に座グリを設けることから、床材結合金具４の上面、下面の構成は同一となり、作業現場で床材結合金具の上下面を判断する必要がなくなり、作業効率が向上する。
【００１６】
また、根太材２の木屑が生ずる恐れのない場合あるいは木屑が生じても床材３と根太材２とがガタ付く恐れのない場合には、床材取付孔８及び根太材取付孔９に設けられる座グリは、皿ビスが収容される一方の側の部分に設ければよい。
座グリをこのように形成した床材結合金具４は、表裏の構成が異なることになるので、作業現場で床材結合金具上下面を判断することが必要になるが、床材結合金具４の厚さ（Ｔ）を若干薄くすることが可能となる。
【００１７】
図３は、図２に示す床材結合金具を用いて、根太材上に床材を敷設したデッキ構造の例を示す上面図で、図を見やすくするため、床材を想像線で表示している。
図４は、図３のＹ−Ｙ断面図である。
例えば、イペのような硬質木材からなる床材３の基本サイズ（幅ｗ×厚さｔ）は、断面が９０ｍｍ×２０ｍｍ，１０５×２０，１０５×３０，１２０×３０等があるが、ｗ＝１０５ｍｍの床材に適用される場合、ステンレス材（ＳＵＳ３０４）製の床材結合金具４は、図３に示すような寸法に設計することができる。この床材結合金具４を床材３の裏面にあてがい、床材結合金具４の下面から床材取付孔８にステンレス材からなる皿ビス１０を通し、インパクトレンチ等を用いて締め付けると、床材結合金具４の凸部５先端は床材３の側端面から１０ｍｍ突出し、凹部７を形成する突片６先端は床材３の側端面から２５ｍｍ突出する。このとき、皿ビス１０の頭部が床材取付孔８の座グリ内から突出すると、敷設後床材３が根太材２上でぐらつくことになるので、皿ビス１０の締め付けには注意を要する。
また、床材３の基本長さ（ｌ）は、３０００，４０００ｍｍのものがあるが、１本の床材３に固定される床材結合金具４の数は、複数設置された根太材２の配置と合わせて設けられ、８００あるいは１０００ｍｍ間隔とするのが一般的である。
【００１８】
床材結合金具４は、工場あるいは施工現場で床材３に予め取り付けられるが、工場から施工現場への搬送、施工現場の作業環境等を勘案していずれかに決定される。
床材３が固定される根太材２は、床材３と同様の強度、耐候性を有することが要求され、床材３と同材質とすることが望ましい。
施工現場において、コンクリートスラブ１上に所定間隔をおいて予め設置してある複数の根太材（例えば、断面が５０×７５のイペ材）２上に、１本目の床材３を根太材２と直交するように載置し、各床材結合金具４の中心線が各根太材２の中心線と一致するように位置を調整した後、凹部７を形成する２つの突片６に設けられた２つの根太材取付孔９からそれぞれ皿ビス１１を通し、電動ドライバ等を用いて根太材２に締め付ける。このとき、各根太材２に中心線を墨入れしておくと各床材３を正確に位置決めすることができ、また皿ビス１１を締め付けるのに際しドリルで下孔を穿孔しておけば、皿ビスの締め付けが容易になり、床材３にひび割れが生じることが防止されるが、いずれにしても現場の状況や諸般の事情を考慮して、その都度選択されるべき事項である。
なお、最初に設置する１本目の床材では、床材３の凸部５が突出している側の側端を根太材２と固定するため、床材３と根太材２とを従来工法と同様にビス止めすることが望ましい。
【００１９】
次に、以上のようにして根太材２上に固定された既設の床材３に対し、隣接する床材３ａを取り付ける作業について説明する。
図１、図３、図４に示すように、根太材２に床材３を固定すると、根太材２の表面と床材３の裏面間には床材結合金具４が介在し、隣接する床材３ａ側に床材結合金具４の凹部７を形成する２つの突片６を突出し、凹部７からなる空間が開口する。
床材結合金具４が所定位置に取り付けられた新たな床材、つまり隣接する床材３ａを既設の床材３と同様の位置関係で平行する姿勢に保持し、隣接する床材３ａに取り付けられた各床材結合金具４ａの各凸部５ａを既設の床材３に取り付けられた各床材結合金具４の各凹部７に注意深く挿入して位置決めする。ここで、床材結合金具４の凸部５の高さ（Ｌ１）と凹部７の高さ（Ｌ２）とはほぼ等しいので、隣接する両床材３，３ａ間はぴったりと密着することができる。
次に、隣接する床材３ａに取り付けられた床材結合金具４ａの突片６ａに設けられた根太材取付孔９ａから皿ビス１１ａを通し、根太材２に締め付ける。
以降、同様にして隣接する床材を順次根太材に固定してゆく。
隣接する床材３ａの既設の床材３側は、根太材２に対してはビスで直接固定されているものではないが、隣接する床材３ａに取り付けられた床材結合金具４の凸部５ａが既設の床材３によって押圧された構造であるから、施工現場で２本のネジを締め付けるだけで、がたつくようなことはなく十分な強度を有している。
【００２０】
隣接する両床材３，３ａ間に所定の間隙が形成される、いわゆる透かし貼りで敷設する場合には、隣接する両床材３，３ａ間に所定厚さのベニヤ板片等を介在させて隣接する床材３ａを位置決めし、その状態で皿ビス１１ａを締め付け、その後ベニヤ板片等を除去するようにすればよい。
なお、床材結合金具４の凸部５の幅（Ｗ１）と凹部３の幅（Ｗ２）とは、前記したようにＷ１＜Ｗ２の関係にあり、相互に微調整が可能であるので、床材３に対する床材結合金具４の取り付け精度にさほど高度のものが要求されない。また、これによって、床材３の長手方向一方端側は密着させ、他方端側は所定の間隙を設けることによって、全体が緩い曲線を描くように敷設するといったことも可能である。
【００２１】
以上で説明した敷設方法は、既設の床材３の側端から突出した凹部７に対し、隣接する床材３ａの側端から突出した凸部５ａを挿入する例について説明したが、これとは逆に、既設の床材３の側端から突出した凸部５に対し、隣接する床材３ａの側端から突出した凹部７ａを挿入するようにしても同様の床構造が得られる。
また、本発明は床構造を形成するための床材固定金具、床材敷設方法及び床構造に関するものであるが、床材固定金具を床材以外の壁材等の構造物の敷設に応用することができる。
【００２２】
【発明の効果】
以上の説明から明らかなように、本発明によれば、一端に凸部を有し、他端に凹部を有する簡単な構成の床材結合金具を用いて床材と根太材を固定するので、床材を固定するためのビス等の固定具が表面に露出せず、また隣接して固定される床材間に間隙が生じることなく、ぴったりと密着して床材を敷設することができる。また、必要に応じて隣接する床材間に所定の間隙を設けて、いわゆる目透し貼りで床材を敷設することができる。
【００２３】
床材結合金具の凹部の幅は、凸部の幅より所定量大であるので、隣接して配置される床材間に自由度があり、床材に床材結合金具を取り付ける際の精度に格別の高精度が要求されない。また、床材敷設時において、隣接して配置される床材相互間の位置を微調整することができ、美観のよい床構造を敷設することができる。
【００２４】
また、床材裏面に平板状の結合金具を固定するので、結合金具が補強金具としての機能を果たし、温度、湿度等の環境変化によって床材が反ったり、曲がったりすることを防止することができる。
さらに、根太材上に床材を敷設する床材敷設方法において、施工現場におけるビス止め等の締め付け作業を少なくすることができるので、特に硬質の木材を用いた床構造に対しても、作業者にさほどの熟練度が要求されず、床材と根太材を容易、確実に、時間効率よく敷設することができ、結果として施工コストを低減することができる。
【図面の簡単な説明】
【図１】本発明の実施例の床構造を施工する様子を示す斜視図である。
【図２】本発明の実施例の床材結合金具を示す図で、図２（Ａ）は上面図、図２（Ｂ）は図２（Ａ）のＸ−Ｘ断面図である。
【図３】図２に示す床材結合金具を用いて、根太材上に床材を敷設したデッキ構造の例を示す上面図である。
【図４】図３のＹ−Ｙ断面図である。
【図５】硬質木材からなる床材を根太材上に固定する第１の従来例の床構造を示す斜視図である。
【図６】硬質木材からなる床材を根太材上に固定する第２の従来例の床構造を示す斜視図である。
【符号の説明】
１…コンクリートスラブ、２…根太材、３…床材、４…床材結合金具、５…凸部、６…突片、７…凹部、８…床材取付孔、９…根太材取付孔、１０，１１…皿ビス、２１…コンクリートスラブ、２２…根太材、２３…床材、２４…ビス、３１…コンクリートスラブ、３２…根太材、３３…フローリング材、３４…側面部、３５…溝、３６…結合金具、３７…延設部、３８…立設板部、３９…係止板部、４０…木ねじ。
【図１】
2004019321.tif 000003
【図２】
2004019321.tif 000004
【図３】
2004019321.tif 000005
【図４】
2004019321.tif 000006
【図５】
2004019321.tif 000007
【図６】
2004019321.tif 000008